(57)【要約】【課題】ユーザが得た画像や音声等のデータを直感的に分かりやすく、簡単に保存、再生等の操作や管理を行うことができる電子機器及びデータ管理方法を提供すること。【解決手段】例えばユーザが背景画像３１を表示部上でスクロール手段によりスクロール操作し、背景画像３１の一部の領域である例えば領域Ｃ１を表示部に表示して指定する。そしてユーザが指定したＣ１の領域に、外部から取り込んだデータを表示部に表示可能な画像３３として割り当てる。このように一旦取り込まれたデータを表示部に見える画像として保存するので、どこに保存されているか一目で分かり、操作が単純化され分かりやすい。【選択図】　図７
2004140774.tif 000002
【特許請求の範囲】
【請求項１】
筐体の移動に応じて表示部に表示される第１の画像をスクロールさせる手段と、
外部からデータを取り込む手段と、
前記スクロール手段により前記第１の画像がスクロールされることで、第１の画像の一部の領域が前記表示部に表示されて指定されたとき、前記取り込まれたデータを、前記指定された一部の領域に、表示部に表示可能な第２の画像として割り当てる手段と
を具備することを特徴とする電子機器。
【請求項２】
請求項１に記載の電子機器であって、
前記表示部に表示される第１の画像は予め複数の画像領域に分割され、
前記第１の画像の一部の領域は、前記分割された複数の画像領域のうちの１つの領域であることを特徴とする電子機器。
【請求項３】
請求項１に記載の電子機器であって、
前記第１の画像がスクロールされることで、前記第２の画像として割り当てられたデータが表示部に表示され選択されることにより、前記取り込まれたデータを再生する手段をさらに具備することを特徴とする電子機器。
【請求項４】
請求項３に記載の電子機器であって、
前記外部からのデータを取り込む手段はカメラを含み、
前記データ再生手段は、前記外部からのデータを、前記カメラで撮像された動画または静止画の情報として再生することを特徴とする電子機器。
【請求項５】
請求項４に記載の電子機器であって、
前記カメラにより動画若しくは静止画が取り込まれている間、または、前記再生手段により取り込まれた動画若しくは静止画が再生される間、前記スクロール手段による前記第１の画像のスクロールを停止するように制御する手段をさらに具備することを特徴とする電子機器。
【請求項６】
請求項１に記載の電子機器であって、
前記第１の画像及び第２の画像のうち少なくとも一方を記憶する記憶媒体が着脱自在な装着部をさらに具備することを特徴とする電子機器。
【請求項７】
請求項１に記載の電子機器であって、
当該電子機器の各操作を行うための操作ボタンと、
前記操作ボタンと前記表示部とを一体的に設けた本体と、
前記本体に対し回転自在に取り付けられ、把持することが可能な把持部と
をさらに具備することを特徴とする電子機器。
【請求項８】
請求項７に記載の電子機器であって、
前記把持部は長尺形状に形成され、
前記本体と前記把持部とは、前記把持部の長手方向を軸として回転自在に取り付けられていることを特徴とする電子機器。
【請求項９】
請求項７に記載の電子機器であって、
前記操作ボタンは前記把持部の近傍に設けられていることを特徴とする電子機器。
【請求項１０】
請求項７に記載の電子機器であって、
前記操作ボタンを所定時間押すことで、前記表示部に表示される前記第１の画像及び前記第２の画像のうち少なくとも一方をロックさせるように制御する手段をさらに具備することを特徴とする電子機器。
【請求項１１】
筐体の移動に応じて表示部に表示された第１の画像をスクロールさせることで、前記第１の画像の一部の領域が前記表示部に表示されて指定され、その指定後に外部からのデータを取り込むステップと、
前記取り込まれたデータを、前記指定された一部の領域に、表示部に表示可能な第２の画像として割り当てるステップと
を具備することを特徴とするデータ管理方法。
【請求項１２】
請求項１１に記載のデータ管理方法であって、
前記第１の画像がスクロールされることで、前記第２の画像として割り当てられたデータが表示部に表示され選択されることにより、前記取り込まれたデータを再生するステップをさらに具備することを特徴とするデータ管理方法。
【請求項１３】
請求項１２に記載のデータ管理方法であって、
前記取り込まれたデータが取り込まれる間または再生される間、前記スクロール手段による前記第１の画像のスクロールを停止するステップをさらに具備することを特徴とするデータ管理方法。
【発明の詳細な説明】
【０００１】
【発明の属する技術分野】
本発明は、例えば筐体を移動に応じて画像をスクロールさせて表示する電子機器及びデータ管理方法に関する。
【０００２】
【従来の技術】
特開２００２−７０２７号公報には、装置を構成する筐体の移動に応じて表示部に表示される画像をスクロールする技術が開示されている。例えば、このような装置を手に持つユーザがこの装置を右方向に移動させると、画像も同様に右方向にスクロールする、というものである。かかる技術によれば、上記のようなボタンによるスクロール操作の煩わしさが解消され、しかも人間の直感に合致した表示を行うことが可能となる。
【０００３】
【発明が解決しようとする課題】
ところで、このような装置を用いて、例えばネットワークを介して地図等の画像情報をダウンロードした場合に、その画像の保存先等を指定することが考えられる。また、画像を保存した後その画像を見たい場合に、再度表示部に表示するために必要な操作等も考えられる。これら保存先の指定や再表示等の操作等は面倒な場合が多い。かかる場合にも人間の直感に合致した操作方法で実現できれば、ユーザにとって利便性が増す。
【０００４】
以上のような事情に鑑み、本発明の目的は、ユーザが得た画像や音声等のデータを直感的に分かりやすく、簡単に保存、再生等の操作や管理を行うことができる電子機器及びデータ管理方法を提供することにある。
【０００５】
【課題を解決するための手段】
上記目的を達成するため、本発明に係る電子機器は、筐体の移動に応じて表示部に表示される第１の画像をスクロールさせる手段と、外部からのデータを取り込む手段と、前記スクロール手段により前記第１の画像がスクロールされることで、第１の画像の一部の領域が前記表示部に表示されて指定されたとき、前記取り込まれたデータを、前記指定された一部の領域に、表示部に表示可能な第２の画像として割り当てる手段とを具備する。
【０００６】
本発明において、第１の画像は表示部に表示可能な画像のサイズより大きいサイズの画像であって、例えば表示部における背景画像となるものである。また、表示部に表示可能な第２の画像とは、例えば個々に識別性を有するアイコンのようなものである。
【０００７】
本発明では、例えばユーザがこの第１の画像を表示部上でスクロール手段によりスクロール操作し、第１の画像の一部の領域を表示部に表示して指定する。そしてユーザが指定した当該一部の領域に、外部から取り込んだデータを表示部に表示可能な第２の画像として割り当てる。このように一旦取り込まれたデータを表示部に見える画像として保存するので、どこに保存されているか一目で分かり、操作が単純化され分かりやすい。しかもその保存形態は、第１の画像の一部の領域に行うものであるので、スクロール操作を行うだけでよく非常に簡単である。
【０００８】
本発明の一の形態は、前記表示部に表示される第１の画像は予め複数の画像領域に分割され、前記第１の画像の一部の領域は、前記分割された複数の画像領域のうちの１つの領域である。このように予め複数の画像領域に分割された画像をスクロール操作で選択することにより、さらに表示部を介して見やすくなり、操作が楽になる。
【０００９】
本発明の一の形態では、例えばユーザが第１の画像をスクロールし、この第２の画像として割り当てられたデータを表示部に表示することでこのデータを選択し、再生する。これにより、保存したデータを簡単な分かりやすい操作で再生することができる。ここで、「再生」とは、例えば取り込んだデータが、ネットワークを介してダウンロードしたプログラムやゲーム等であれば、そのプログラムやゲームを「実行」することを含むものである。
【００１０】
本発明の一の形態は、前記第１の画像及び第２の画像のうち少なくとも一方を記憶する記憶媒体が着脱自在な装着部をさらに具備する。例えば可搬性の記憶媒体が装着できる装着部を設けることによりさらに利便性が増す。
【００１１】
本発明の一の形態は、前記外部からのデータを取り込む手段はカメラを含み、前記データ再生手段は、前記外部からのデータを、前記カメラで撮像された動画または静止画の情報として再生する。これにより、カメラにより撮像した動画または静止画を簡単な操作で再生することができる。この場合、第２の画像としては、例えば、静止画であれば一目で分かる画像等で表示すればよい。また動画であればその動画の一部分の静止画像等で表示すればよい。
【００１２】
本発明の一の形態は、前記カメラにより動画若しくは静止画が取り込まれている間、または、前記再生手段により取り込まれた動画若しくは静止画が再生される間、前記スクロール手段による前記第１の画像のスクロールを停止するように制御する手段をさらに具備する。例えばユーザが取り込んだデータを再生するときは、筐体を移動させても第１の画像である背景画像がスクロールしないように表示部に固定しておく。これにより、筐体を動かしても、第１の画像と、取り込んでいる動画や静止画（あるいは取り込んだ動画や静止画）を再生するときの画像とが同時に動かないようにし、画像が見づらくなることを避けることができる。
【００１３】
本発明の一の形態では、当該電子機器の各操作を行うための操作ボタンと、前記操作ボタンと前記表示部とを一体的に設けた本体と、前記本体に対し回転自在に取り付けられ、把持することが可能な把持部とをさらに具備する。本発明では、表示部が把持部に対して回転自在に取り付けられているので、人の手の握る角度を自由に選択できるので便利である。また操作時の手首等にかかる疲労や負担を低減できる。例えば、前記把持部は長尺形状に形成され、前記本体と前記把持部とは、前記把持部の長手方向を軸として回転自在に取り付けられている。
【００１４】
本発明の一の形態では、前記操作ボタンは前記把持部の近傍に設けられている。これにより、把持部を握りながらその握った方の手の親指で操作ボタンを操作でき片手で手軽に操作することができる。
【００１５】
本発明の一の形態では、前記操作ボタンを所定時間押すことで、前記表示部に表示される前記第１の画像及び前記第２の画像のうち少なくとも一方をロックさせるように制御する手段をさらに具備する。所定時間とは、例えば１秒〜数秒程度に設定すればよい。例えばユーザが取り込んだデータを再生しようとするときに、そのように操作ボタンを押して筐体を移動させても第１の画像である背景画像がスクロールしないように表示部に固定しておく。これにより、筐体を動かしても、第１の画像と、取り込んでいる動画や静止画（あるいは取り込んだ動画や静止画）を再生するときの画像とが同時に動かないようにし、画像が見づらくなることを避けることができる。本発明は単に動画等を再生する場合の一時停止機能としても有効である。
【００１６】
本発明に係るデータ管理方法は、筐体の移動に応じて表示部に表示された第１の画像をスクロールさせることで、前記第１の画像の一部の領域が前記表示部に表示されて指定され、その指定後に外部からのデータを取り込むステップと、前記取り込まれたデータを、前記指定された一部の領域に、表示部に表示可能な第２の画像として割り当てるステップとを具備する。
【００１７】
本発明では、一旦取り込まれたデータを表示部に見える画像として保存するので、どこに保存されているか一目で分かり、操作が単純化され分かりやすい。また、取り込んだデータを保存する前に、保存領域を指定しており、指定後に、その指定領域に保存を行う。これにより、データを取り込んだ後にそのデータの保存先を指定する場合のように何らかの原因で保存に失敗するといった問題が解消される。何らかの原因とは、例えば機器のバッテリー切れ、保存操作の間違い等が挙げられる。
【００１８】
【発明の実施の形態】
図１及び図２を参照して、本発明に係る電子機器の一例としてのディジタルカムコーダについて説明する。
【００１９】
図１は、本発明の一実施形態に係るカムコーダの斜視図である。図２は、この表示装置のハードウェア構成を示すブロック図である。
【００２０】
図１に示すように、カムコーダ１は、例えばユーザが片手で持てるような大きさの筐体２を有する。
【００２１】
筐体２の前面２ａには、スピーカ４、マイク５、リセットボタン１０が設けられ、更に、ＯＫボタン７ａ、Ｕｎｄｏボタン７ｂ、及びカメラキャプチャーボタン７ｃが設けられた操作部７、例えばスティック状の記憶媒体８が着脱自在に装着される装着部９が設けられている。
【００２２】
筐体２の上面２ｅには、回転式のスイッチ３０が配置されている。この回転式スイッチ３０は後述するように各モードの切り換えを行う。筐体２の背面２ｂには、カメラ３が設けられている。カメラ３は例えばＣＣＤカメラにより構成される。筐体２の側面２ｃには、表示部６が設けられている。表示部６は、例えばカラー液晶表示装置により構成される。筐体２の他方の側面２ｄには、取手部１１が設けられている。
【００２３】
図２に示すように、カムコーダ１は、メインバス１４にＣＰＵ１５、ＲＯＭ１６、Ｓ−ＲＡＭ（スタティックラム）１７、ＲＡＭ１８、記憶媒体用インタフェース１９、センサインタフェース２０の他、各種のインタフェース、例えばＴＴＹ（Ｔｅｌｅ　Ｔｙｐｅｗｒｉｔｅｒ）２１、イーサネット（登録商標）ボード（Ｅｔｈｅｒｎｅｔ（登録商標）　Ｂｏａｒｄ）２２、イメージプロセッシングユニット（Ｉｍａｇｅ　Ｐｒｏｃｅｓｓｉｎｇ　Ｕｎｉｔ）２３、Ｖｉｓｃａインタフェース（Ｖｉｓｃａ　Ｉｎｔｅｒｆａｃｅ）２４、ＶＧＡボード（ＶＧＡＢｏａｒｄ）２５、オーディオビデオインタフェース（Ａｕｄｉｏ＆Ｖｉｄｅｏ　Ｉｎｔｅｒｆａｃｅ）２６を接続して構成される。ＣＰＵ１５は、このカムコーダ１全体を統括的に制御するものである。ＲＯＭ１６は、その動作に必要なプログラムを記憶させるために設けられる。必要なプログラムとは、例えば後述するように、取り込んだデータを指定したＨＡＢモードの画面領域の１つに割り当てて保存等する処理を行うためのプログラム等である。ＲＡＭ１８は、処理の際の作業スペースとして用いられる。
【００２４】
記憶媒体用インタフェース１９には装着部９が接続されている。これにより、カムコーダ１と装着部９に装着された記憶媒体８との間でデータの通信が行われるようになっている。
【００２５】
センサインタフェース２０には、Ａ／Ｄコンバータ２７、ローパスフィルタ２９を介して、角速度センサ１２及び加速度センサ１３が並列に接続されている。これら角速度センサ１２及び加速度センサ１３は、例えばユーザがこのカムコーダ１を手に持った状態で空間を移動させたとき、それぞれ２軸方向及び３軸方向の角速度及び加速度を検出する素子である。
【００２６】
例えば加速度センサ１３を３軸方向の加速度を検出するセンサとして用い、カムコーダ１に加わる加速度の縦方向成分及び横方向成分を検知し、それぞれの成分ごとに時間積分演算を行って速度成分、変位成分を算出するようになっている。また、角速度センサ１２を２軸方向の角速度を検出するセンサとして用いる。例えばユーザがこのカムコーダ１を移動させたとき、ひじを支点とした球面に沿った方向のような動きになる。本実施形態では、角速度センサ１２をその方向の回転の角速度を検知してそれぞれの成分ごと時間積分を行って変位成分を算出するようになっている。これらセンサ１２及び１３の算出結果は後述する画像のスクロールに用いられる。
【００２７】
本実施形態では、このような角速度センサ１２及び加速度センサ１３は、必ずしも両方備える必要はなく、角速度センサ１２または加速度センサ１３のうちいずれが１つのみでもよい。また、角速度センサ１２は平面的な２軸方向だけでなく奥行き方向も加えた３軸方向を検出するものであってもよい。
【００２８】
ＴＴＹ（Ｔｅｌｅ　Ｔｙｐｅｗｒｉｔｅｒ）２１は、上記の操作領域の各種のボタンと接続されている。
【００２９】
イーサネット（登録商標）ボード（Ｅｔｈｅｒｎｅｔ（登録商標）　Ｂｏａｒｄ）２２は、イーサネット（登録商標）に接続可能とするものである。イーサネット（登録商標）を介して例えばサーバに接続され、このサーバを介してインターネットに接続されるようになっている。
【００３０】
イメージプロセッシングユニット（Ｉｍａｇｅ　Ｐｒｏｃｅｓｓｉｎｇ　Ｕｎｉｔ）２３にはカメラインタフェース（Ｃａｍｅｒａ　Ｉｎｔｅｒｆａｃｅ）２８が接続される。カメラインタフェース２８には上記のＣＣＤカメラ３が接続されている。ＣＣＤカメラ３により接続された画像をカムコーダ１内に取り込むことが可能であり、これを表示部６に表示することも可能である。
【００３１】
Ｖｉｓｃａインタフェース（Ｖｉｓｃａ　Ｉｎｔｅｒｆａｃｅ）２４には外部のパーソナルコンピュータ等が接続される。このインタフェースを介してカムコーダ１の各種の制御を行うことが可能とされている。
【００３２】
ＶＧＡボード（ＶＧＡ　Ｂｏａｒｄ）２５には上記の表示部６としての液晶表示装置が接続されている。
【００３３】
オーディオビデオインタフェース（Ａｕｄｉｏ＆Ｖｉｄｅｏ　Ｉｎｔｅｒｆａｃｅ）２６には、オーディオビデオ系の機器が接続されるようになっている。このインタフェース２６を介してオーディオビデオ系の機器からの信号をカムコーダ１内に取り込んだり、逆にオーディオ信号や画像信号をオーディオビデオ系の機器に出力することができる。
【００３４】
次に、このカムコーダ１のスクロール機能について説明する。
【００３５】
図３は、上記した選択モードの１つである分割領域モードの画像を示す図である。これを以下、ＨＡＢ（Ｈｕｍａｎ　Ａｕｇｍｅｎｔｅｄ　Ｂｒｏｗｓｅｒ）モードという。このＨＡＢモードの画像３１は、例えばビル群の背景画像であり、このような背景画像３１はデフォルトでＲＯＭ１６に記憶されていてもよいし、あるいはインターネット等のネットワークを介してダウンロードされて記憶されたものであってもよい。また、このような画像３１を記憶媒体８に記憶して販売している販売店から、ユーザがその記憶媒体８を購入してＲＯＭ１６に記憶させるようにすることもできる。この背景画像３１は表示部６より大きいサイズの画像であり、例えばＡ１〜Ａ４、Ｂ１〜Ｂ４、Ｃ１〜Ｃ４、Ｄ１〜Ｄ４に１６の領域に分割されている。
【００３６】
例えば、カムコーダ１を手に持つユーザがこのカムコーダ１を右方向に移動させると、角速度センサ１２及び加速度センサ１３によりその移動が検出され、ＣＰＵ１５の制御により画面（表示部６）も同様に右方向にスクロールされる。このようなスクロールを行うことで、全体の画像３１を見ることが可能となっている。
【００３７】
Ｕｎｄｏボタン７ｂは、いわゆるＢａｃｋボタンであり、キャンセルする場合、あるいは直前の操作状態に戻すためのボタンである。例えばＵｎｄｏボタン７ｂを１回押すと１つ前の操作画面に戻るようになっている。
【００３８】
次に、このように構成されたカムコーダ１の動作を説明する。
【００３９】
図４はこの実施形態に係るカムコーダ１の動作を示すフローチャートである。
【００４０】
まず、カムコーダ１に電源が投入されると、表示部６に初期画面を表示する（ステップ４０１）。この初期画面は図５に示すようなモード選択画面３５であり、例えば表示部６の画面には、例えば「ＨＡＢ」、「録音」、「再生」、「カメラ」、「文字入力」等がある。このモード選択画面３５は上記したように回転式スイッチ３０によりハイライト表示３７を移動できるようになっている。これによりこの画面上には表示されていないが、他の項目が更にこの下に存在し、回転式スイッチ３０により、画面を下方にスクロールして下にある項目も見ることができる。また、現在画面上でハイライト表示された項目について、ＯＫボタン７ａを押すとハイライト表示された項目が選択されるようになっている。
【００４１】
以下、例えばこのカムコーダ１を用いて動画を録画して保存等する場合について説明する。
【００４２】
回転式スイッチ３０が操作され（ステップ４０２）、モード選択画面３５でカメラモードが選択された場合には（ステップ４０３）、自動的にＨＡＢモードの画面３１（図３参照）を表示部６に表示する（ステップ４０４）。そして、ユーザがカムコーダ１の筐体２を移動させると（ステップ４０５）、この移動に応じて表示部６に表示した背景画像３１をスクロールさせる（ステップ４０６）。そして領域Ａ１〜Ａ４、Ｂ１〜Ｂ４、Ｃ１〜Ｃ４、Ｄ１〜Ｄ４のうち、ユーザは好む領域を１つ選択し、そこでＯＫボタン７ａが押された場合には（ステップ４０７）、カメラモードの表示に切り換える（ステップ４０８−１）。本実施形態では、ユーザが例えばＣ１の領域を指定したとする。このカメラモード表示は、例えば図６（ａ），（ｂ）に示すような画像で表示部６に表示される。
【００４３】
図６（ａ）、（ｂ）は、例えばユーザが町を歩いていて有名な寿司屋を見かけ、この寿司屋の門の映像をカメラに収めておこうと撮像したものである。ここで、カメラキャプチャーボタン７ｃが押されると（ステップ４０９）、この映像を録画する（ステップ４１０）。図６（ｂ）は、カムコーダ１を寿司屋の門に寄せたり、あるいは例えばズーム機能を使用したりした画像である。
【００４４】
また、カメラモードを表示した場合には、この映像のバックにユーザが指定した背景画像３１の一部の領域であるＣ１を常に固定して表示させておくようにしてもよい（ステップ４０８−２）。このようにカメラモードを表示する時には、カムコーダ１の移動により背景画像が動いてしまわないよう固定することにより、表示部６の画像が見づらくなることを防止できる。つまり、これによりカメラ画像と背景画像とが同時に動いた場合に生じる「酔い」を防ぐことができる。
【００４５】
この後、再度Ｕｎｄｏボタン７ｂが押されると（ステップ４１１）、録画を停止する。この停止はＵｎｄｏボタン７ｂでなくても、カメラキャプチャーボタン７ｃを再度押すことにより行ってもよい。録画を停止すると同時に、先ほどユーザが指定したＣ１の領域に取り込んだ動画を保存する（ステップ４１２）。しかしこれは表示部６上でのデータの保管方法であって、実際には例えば記憶媒体８等に保存するか、あるいはネットワーク等を介して接続されている記憶媒体に保存するようにしてもよい。
【００４６】
このようにして保存されたデータ（動画３３）は、図７に示すように、背景画像３１の指定された領域Ｃ１に、ユーザに見やすい形で割り当てられて保存される。この場合、図示するように例えば動画の一部分の静止画のみを保存用の画像として表示すればよい。
【００４７】
３４は、例えば音声を録音したものを領域Ａ４に保存して表示したアイコンである。このようにカメラ３でキャプチャーした動画や静止画だけでなく、マイク５で収録した音声、あるいはインターンネットや記憶媒体８から入手した音楽等も、同様にして分かりやすく保管できる。音楽等をダウンロードで入手する場合は、例えばモード選択画面で「インターネット接続」という項目を設け、これを選択してから、インターネットに接続し、その後自動的に切り換わるＨＡＢモードで保存したい領域を指定すればよい。
【００４８】
３６は、例えばインターネットを介してダウンロードした地図データを領域Ｄ３に保存して表示したアイコンである。このような地図データをも音楽と同様に保存することができる。
【００４９】
このように本実施形態では、一旦取り込まれたデータを表示部に見える画像として保存するので、どこに保存されているか一目で分かり、操作が単純化され分かりやすい。しかもその保存形態は、背景画像の複数に分割された領域の１つに行うものであるので、その領域に合わせてスクロール操作を行うだけでよく非常に簡単である。本実施形態は、このようにスクロール操作を利用した人間の直感に合ったものであるので、非常に簡単な操作でデータの管理を行うことができる。
【００５０】
また、本実施形態では、取り込んだ画像等を保存する前に、保存場所を指定（保存領域を指定）している。そして例えばステップ４０９によるカメラキャプチャーボタンが押された時点、すなわち録画の開始時点で、その指定領域に保存を開始している。これにより、画像を取り込んだ後に画像の保存先を指定する場合のように何らかの原因で保存に失敗するといった問題が解消される。何らかの原因とは、例えばバッテリー切れ、保存操作の間違い等が挙げられる。本実施形態で保存操作を間違えることは全くない。
【００５１】
次に、このように取り込んだデータを再生等するときの動作を説明する。本実施形態では、取り込んだ動画を再生する場合について説明する。
【００５２】
図８は、そのフローチャートである。
【００５３】
まず、表示部６にモード選択画面３５を表示し（ステップ８０１）、ユーザが行う回転式スイッチ３０の操作により（ステップ８０２）、再生モードが選択されてＯＫボタン７ａが押されると（ステップ８０３）、ＨＡＢモード画面（背景画面３１）を表示部６に表示する（ステップ８０４）。
【００５４】
ユーザがカムコーダ１の筐体２を移動させると（ステップ８０５）、この移動に応じて表示部６に表示された背景画像３１をスクロールさせる（ステップ８０６）。そしてこのスクロールにより図７に示した領域Ｃ１を表示する（ステップ８０７）。この領域Ｃ１には取り込んだ寿司屋の動画を保存しており、ここでＯＫボタン７ａが押されると（ステップ８０８−１）、その動画を再生する（ステップ８０９）。
【００５５】
また、動画を再生する場合には、ステップ８０８−１の後、背景画像３１の一部の領域であるＣ１を常に固定して表示させておくようにしてもよい（ステップ８０８−２）。このように動画の再生時においても、カムコーダ１の移動により背景画像が動いてしまわないよう固定することにより、表示部６の画像が見づらくなることを防止でき、「酔い」を防ぐことができる。なお、動画以外のデータを再生する場合、例えば音楽を再生する場合には、このような背景画像３１を固定しなくてもよい。
【００５６】
そしてユーザによりＵｎｄｏボタン７ｂが押されることで動画の再生を停止する（ステップ８１０）。
【００５７】
このように、取り込んだデータを再生する場合においても、ＨＡＢモードにおける分割領域の画面で表示した個々の画像をスクロールにより選択し指定するだけでよいので、分かりやすく、簡単で直感的な操作性を実現できる。
【００５８】
図９は、図７で示した領域Ｄ３に保存した地図情報を選択して実行した場合の表示例を示す。このように、表示部６に地図を表示させ、これをスクロールさせることで地図全体の画像を見ることができる。
【００５９】
次に、上記のように取り込んだデータをネットワークを介して保存する場合について説明する。
【００６０】
図１０はカムコーダ１に記憶されたコンテンツ用テーブルの一例を示す図である。ここで、コンテンツとは、取り込んだ画像や音楽等のデータをいう。
【００６１】
図１０に示すように、このテーブル４１には、ＨＡＢモードの分割画面の各領域（Ａ１〜Ｄ４）４２に対応して、コンテンツＩＤ４３、コンテンツ名４４、コンテンツ属性４５、コンテンツ容量４６がそれぞれテーブル形式で記述されている。コンテンツＩＤ４３とは、コンテンツ毎に付与されるＩＤである。例えばこのコンテンツＩＤ４３を用いてこのコンテンツのアップロード等を行うことができる。コンテンツ名４４とは、コンテンツ毎に付された名前である。コンテンツ属性４５には、例えばコンテンツがアップロードされた日時が用いられる。コンテンツ容量とは、コンテンツの情報量である。このようなテーブル４１は、例えばカムコーダ１の販売の時点からＳ−ＲＡＭ１７に記憶されている。ここで、販売時点におけるテーブル４１は空欄であり、ユーザがカムコーダ１を用いて自己のコンテンツをアップロードする際に、この空欄のテーブル４１に、コンテンツＩＤ等が書き込まれていく。
【００６２】
図１１は、カムコーダ１とコンテンツを保管するコンテンツ管理装置５０とがインターネットやイントラネット等のネットワーク５５上に接続されている状態を示している。
【００６３】
コンテンツ管理装置５０には、コンテンツ用テーブル４１が記憶されるテーブル記憶部５２、後述するようにユーザがアップロードしたコンテンツを記憶するコンテンツ記憶部５３、コンテンツ用テーブル４１に記憶されたコンテンツＩＤ４３とコンテンツ記憶部５３に記憶されたコンテンツのアドレスとが対応付けて記憶されたコンテンツアドレス記憶部５４及びカムコーダ１との間でネットワーク５５を経由してコンテンツの提供を行うための通信部５１が設けられている。
【００６４】
このようにコンテンツ用テーブル４１を設け、ユーザが取り込んだ寿司屋の動画や音楽等のコンテンツ（データ）と、これに対応するコンテンツＩＤとをともにコンテンツ管理装置５０に対し送信することにより、情報量の大きい動画等のコンテンツをコンテンツ管理装置５０に保管しておくことができ、カムコーダ１の記憶しておく情報量を少なくすることができる。これにより、カムコーダの操作性の悪化を防止できる。
【００６５】
そして、ユーザがこのコンテンツ管理装置５０に保存したコンテンツ、例えば寿司屋の動画を再生したい場合には、例えば上記したように、スクロール操作により、図７に示す領域Ｃ１を選択し、この領域Ｃ１に対応するコンテンツＩＤ＝２をコンテンツ管理装置５０に送信する。コンテンツＩＤを受信したコンテンツ管理装置５０は、受信したコンテンツＩＤに対応するアドレスをコンテンツアドレス記憶部５４から抽出し、抽出したアドレスにあるコンテンツをコンテンツ記憶部５３から読み出し、読み出したコンテンツをネットワーク５５経由で画像表示装置１に送信する。これによりカムコーダ１がこの寿司屋の動画コンテンツを受信することができ、これを再生することができる。
【００６６】
本発明は以上説明した実施形態には限定されるものではなく、種々の変形が可能である。
【００６７】
例えば、図４における動画の録画動作では、ステップ４０４からＨＡＢモードを表示するようにしたが、これに限らず、初期設定画面（ステップ４０１）からＨＡＢモードを表示することも可能である。つまり、図３に示すＨＡＢモードの分割画面のテーブルを幾つも階層的にＲＯＭ１６等に記憶させることにより、モード選択も、図３に示すようなスクロール操作のみで行うことができより簡単に操作できるようになる。この場合、モード選択画面の「ＨＡＢ」モードは必要ないことは言うまでもない。また、これは図８に示したデータの再生時についても同様のことが言える。
【００６８】
また、図７に示すように一旦取り込んで割り当てられた画像、例えば領域Ｃ１に割り付けられた動画のアイコンが透けるようにして、背景画像３１に対してオーバーレイ表示させる機能を持たせてもよい。これにより、背景画像３１のどの領域に割り付けたかをさらに容易に理解できるようになる。
【００６９】
また、上記実施形態のＨＡＢモードの分割画面は、１６分割としたが、１６未満であってもよいし、１７以上であってもよい。
【００７０】
Ｕｎｄｏボタン７ｂを長押しすることにより、背景画像３１、地図画像等をロック（画像を固定）するように制御する手段を設けてもよい。これにより例えば筐体２を動かしてもロックした地図画像等が動いてしまうことを防止できる。また、カメラモードを選択した場合に、背景画像３１を手動でロックさせる場合にもこのロック機能を用いることもできる。ロックを解除するときは、再度長押しするようにすればよい。長押しの時間は例えば１秒間〜２秒間等、あるいはそれ以上に設定すればよい。長押しボタンはＵｎｄｏボタン７ｂに限られず、他のボタン７ａ、７ｃであってもよい。
【００７１】
モード選択画面におけるモードの種類は上記した実施の形態に限られず、例えばキーボードのモードも設定可能である。このキーボードの画像は、例えば表示部６の全体にキーボードのキーの全てを表示するのではなく、いくつかのキーを表示し、スクロールによりキーボード画像をスクロールするものであってもよい。この場合、表示部６の所定のエリア、例えば中央部に目的のキーが映し出されたり、目的のキーがハイライト表示されたりすれば、そこでＯＫボタン７ａを押すことでそのキーの入力があったものとすることができる。
【００７２】
図１２は、他の実施の形態に係る電子機器を示す斜視図である。この電子機器１００は、本体１０３と、例えば人の手で握ることができるグリップ部１０２とを有している。本体１０３は例えば液晶の表示部１０６、操作ボタン１０７を有し、操作ボタン１０７には、ＯＫボタン１０７ａ、Ｂａｃｋボタン１０７ｂ、カメラキャプチャーボタン１０７ｃがある。ＯＫボタン１０７ａ、Ｂａｃｋボタン１０７ｂ、カメラキャプチャーボタン１０７ｃはそれぞれ、上記実施の形態におけるＯＫボタン７ａ、Ｕｎｄｏボタン７ｂ、カメラキャプチャーボタン７ｃと同様の機能を有している。これらの操作ボタン１０７は、グリップ部１０２の上方に位置するように配置されている。これにより、例えば人がグリップ部１０２を握った場合にその握った方の手の親指で操作ボタンを操作でき片手で手軽に操作することができる。また、グリップ部１０２にはラバー部材１０５、１０４が取り付けられている。これによりすべり止めの効果を奏する。
【００７３】
本体１０３と、グリップ部１０２とは例えば図１３に示すように軸部１０１で相対的に回転自在に連結されている。例えば所定の角度間隔でその回転が固定されるようにすることもできる。このような構成にすることで、人の手の握る角度を自由に選択できるので便利であり、操作時の手首等にかかる疲労や負担を低減できる。
【００７４】
この電子機器の電気的な構成は図２に示したものと同様である。例えばグリップ部１０２の底面に可搬性の記憶媒体の装着部があってもよい。また、角度センサや角速度センサは本体１０３の表示部１０６の裏面側に配置させることが可能である。また、この電子機器に上記実施の形態のカムコーダ１と同様の機能を持たせることができる。
【００７５】
【発明の効果】
以上説明したように、本発明によれば、ユーザが得た画像や音声等のデータを直感的に分かりやすく、簡単に保存、再生等の操作や管理を行うことができる。
【図面の簡単な説明】
【図１】本発明の一実施形態に係るカムコーダを示す斜視図である。
【図２】カムコーダのハードウェア構成を示すブロック図である。
【図３】ＨＡＢモードにおける背景画像を示す全体図である。
【図４】カムコーダのカメラ録画の動作を示すフローチャートである。
【図５】初期設定画面であるモード選択画面の表示例を示す図である。
【図６】（ａ）はカメラモード時の表示例を示す図であり、（ｂ）はカメラでズームした図である。
【図７】ＨＡＢモードの分割画面に取り込んだデータを割り当てた場合の表示例を示す図である。
【図８】カムコーダのカメラ再生の動作を示すフローチャートである。
【図９】表示部における地図情報の表示例を示す図である。
【図１０】カムコーダに記憶されたコンテンツ用テーブルの一例を示す図である。
【図１１】カムコーダとコンテンツ管理装置とのネットワークを示す図である。
【図１２】他の実施の形態に係る電子機器を示す斜視図である。
【図１３】図１２に示す電子機器のグリップ部を回転させた状態示す斜視図である。
【符号の説明】
Ａ１〜Ｄ４…ＨＡＢモードの分割領域
１…カムコーダ
２…筐体
３…カメラ
６…表示部
７…操作部
８…記憶媒体
９…装着部
１５…ＣＰＵ
３１…背景画像
【図１】
2004140774.tif 000003
【図２】
2004140774.tif 000004
【図３】
2004140774.tif 000005
【図４】
2004140774.tif 000006
【図５】
2004140774.tif 000007
【図６】
2004140774.tif 000008
【図７】
2004140774.tif 000009
【図８】
2004140774.tif 000010
【図９】
2004140774.tif 000011
【図１０】
2004140774.tif 000012
【図１１】
2004140774.tif 000013
【図１２】
2004140774.tif 000014
【図１３】
2004140774.tif 000015